(57)【特許請求の範囲】
【請求項１】
補強帯４を補強支持構造物の壁２に取り付けるシステムであって、補強帯の巻き付け支持部１０と巻き付け支持部１０を壁２に固定する２個の股釘１１ａ，１１ｂよりなり、２個の股釘１１ａ，１１ｂは非腐食性材料のループ１６から形成されてお互いが連結された状態であることを特徴とするシステム。
【請求項２】
ループ１６がプラスチック材料のものであることを特徴とする請求項１記載のシステム。
【請求項３】
ループ１６がポリエステル繊維の芯線よりなることを特徴とする請求項１記載のシステム。
【請求項４】
ループ１６がポリエチレンシースよりなることを特徴とする請求項３記載のシステム。
【請求項５】
ループ１６がそれ自身に巻かれた帯で形成されることを特徴とする請求項１記載のシステム。
【請求項６】
釘股１１ａ，１１ｂが帯の２個の端部１７，１８を含むことを特徴とする請求項５記載のシステム。
【請求項７】
請求項１記載の取り付けシステムを補強支持構造物の壁に配置する装置であって、ループ１６を形作り２個の股釘１１ａ，１１ｂを形成するための型板２１よりなることを特徴とする装置。
【請求項８】
請求項７記載の装置であって、ここで部材２２ａ，２３ａ，２２ｂ，２３ｂが型板２１に沿って２個の股釘１１ａ，１１ｂの位置決めのために配設されることを特徴とする装置。
【請求項９】
請求項８記載の装置であって、ここで位置決め部材が２個の股釘１１ａ，１１ｂそれぞれを横方向に保持するように意図されて型板２１に配設された２対のカラー部２２ａ，２３ａ，２２ｂ，２３ｂよりなることを特徴とする装置。
【請求項１０】
請求項７記載の装置であって、股釘１１ａ及び１１ｂはそれぞれが２個の分岐部１３ａ，１４ａ及び１３ｂ，１４ｂから構成され、股釘１１ａ及び１１ｂのそれぞれの分岐部１３ａ、１４ａ及び１３ｂ、１４ｂが確実に平行に配列されるようにそれぞれの分岐部１３ａ、１４ａ及び１３ｂ、１４ｂの間に部材が配設されることを特徴とする装置。
【請求項１１】
請求項１０記載の装置であって、股釘１１ａ及び１１ｂのそれぞれの２個の分岐部１３ａ，１４ａ及び１３ｂ，１４ｂを確実に平行に配列させる前記部材がそれぞれの一対のカラー部２２ａ，２３ａ及び２２ｂ，２３ｂの間に伸びるスペーサ２４ａ，２４ｂであることを特徴とする装置。
【請求項１２】
請求項１１記載の装置であって、ここで部材２５ａが股釘１１ａの２個の分岐部１３ａ，１４ａをスペーサ２４ａと反対方向に配置するよう配設されることを特徴とする装置。
【請求項１３】
請求項１記載の取り付けシステムのための２個の股釘１１ａ、１１ｂから構成されるアセンブリであって、前記２個の股釘は非腐食性材料のループ１６から形成されてお互いが連結された状態であることを特徴とするアセンブリ。
【発明の詳細な説明】
【０００１】
【発明の属する技術分野】
この発明は補強帯を補強支持構造物の壁に取り付けるシステムに関する。このような支持構造物は築堤の場合、あるいは平坦な切り通しにおいて、道路、埠頭、高速道路、建築物その他構造物や公共施設部門の構造物で配設される。
【０００２】
【従来の技術】
築堤あるいは切り通しの補強支持構造物は、一般にコンクリートで作られた対向壁と、後部に位置する主要部と対向壁との間に複数の重畳水平面に延びる直線補強帯で補強された粒状体の特異的な中詰めとを含む。補強帯は取り付けシステムにより対向壁に固定される。
【０００３】
取り付けシステムはそれに補強帯が巻かれた可塑化鋼または亜鉛メッキ鋼の２個の取り付けループもしくは股釘に配設されたピンを含む。２個の股釘は対向壁にしっかり接続され、壁に包埋された金属連接棒により連結され、このため壁での股釘の固定を確実なものにする。
【０００４】
【発明が解決しようとする課題】
しかしこの種の取り付けシステムはとりわけ２個の股釘を連接する棒を腐食する危険にさらすことになる。
【０００５】
この発明は前記の不利な点を克服することを目的とする。
【０００６】
【課題を解決するための手段】
前記課題は請求項１に記載のシステムにより、またこのシステムを実行するための装置請求項７の特徴を持った装置により解決される。
【０００７】
すなわち前記の目的を達成するために本発明ではシステムを下記の通りに構成する。
【０００８】
（１）補強帯４を補強支持構造物の壁２に取り付けるシステムであって、補強帯の巻き付け支持部１０と巻き付け支持部１０を壁２に固定する２個の股釘１１ａ，１１ｂよりなり、２個の股釘１１ａ，１１ｂは非腐食性材料のループ１６から形成されてお互いが連結された状態であることを特徴とするシステム。
【０００９】
（２）ループ１６がプラスチック材料のものであることを特徴とする前記（１）記載のシステム。
【００１０】
（３）ループ１６がポリエステル繊維の芯線よりなることを特徴とする前記（１）記載のシステム。
【００１１】
（４）ループ１６がポリエチレンシースよりなることを特徴とする前記（３）記載のシステム。
【００１２】
（５）ループ１６がそれ自身に巻かれた帯で形成されることを特徴とする前記（１）記載のシステム。
【００１３】
（６）釘股１１ａ，１１ｂが帯の２個の端部１７，１８を含むことを特徴とする前記（５）記載のシステム。
【００１４】
（７）前記（１）記載の取り付けシステムを補強支持構造物の壁に配置する装置であって、ループ１６を形作り２個の股釘１１ａ，１１ｂを形成するための型板２１よりなることを特徴とする装置。
【００１５】
（８）前記（７）記載の装置であって、ここで部材２２ａ，２３ａ，２２ｂ，２３ｂが型板２１に沿って２個の股釘１１ａ，１１ｂの位置決めのために配設されることを特徴とする装置。
【００１６】
（９）前記（８）記載の装置であって、ここで位置決め部材が２個の股釘１１ａ，１１ｂそれぞれを横方向に保持するように意図されて型板２１に配設された２対のカラー部２２ａ，２３ａ，２２ｂ，２３ｂよりなることを特徴とする装置。
【００１７】
（１０）前記（７）記載の装置であって、股釘１１ａ及び１１ｂのそれぞれの２個の分岐部１３ａ，１４ａ及び１３ｂ，１４ｂを確実に平行に配列されるようにそれぞれの分岐部１３ａ、１４ａ及び１３ｂ、１４ｂの間に部材が配設されることを特徴とする装置。
【００１８】
（１１）前記（１０）記載の装置であって、股釘１１ａ及び１１ｂのそれぞれの２個の分岐部１３ａ，１４ａ及び１３ｂ，１４ｂを確実に平行に配列させる前記部材がそれぞれの一対のカラー部２２ａ、２３ａ及び２２ｂ、２３ｂの間に伸びるスペーサ２４ａ，２４ｂであることを特徴とする装置。
【００１９】
（１２）前記（１１）記載の装置であって、ここで部材２５ａが股釘１１ａの２個の分岐部１３ａ，１４ａをスペーサ２４ａと反対方向に配置するよう配設されることを特徴とする装置。
【００２０】
（１３）前記（１）記載の取り付けシステムのための２個の股釘１１ａ、１１ｂから構成されるアセンブリであって、前記２個の股釘は非腐食性材料のループ１６から形成されてお互いが連結された状態であることを特徴とするアセンブリ。
【００２１】
かくして２個の股釘はお互いに連続して延びる。非腐食性材料よりなる部分的に壁に包埋されたループは腐食のどのような危険性もなくして股釘の良好な固定を保証する。
【００２２】
ループは有利なことにプラスチック材料でできている。
【００２３】
ループはポリエステル繊維の芯線よりなることもあり、それは確実に帯の機械的強度を高める。
【００２４】
ループは望ましくはポリエチレンシースよりなる。
【００２５】
取り付けシステムのループが部分的に包埋される支持構造物の壁は一般にコンクリートのものである。しかしコンクリートはアルカリ媒体でありそれはポリエステル繊維に損傷を与える。ポリエチレンシースはポリエステル芯線を保護できるようにする。
【００２６】
ループがそれ自身に巻き付けられた帯から形成されることも有利である。
【００２７】
股釘は望ましくは帯の２端部を含む。
【００２８】
このようにループのポリエステルに繊維芯線が帯の２個の端部で劣化する危険を避けることが可能となる。
【００２９】
この発明は更にループを形作り２個の股釘を形成する型板よりなる前記取り付けシステムを補強支持構造物の壁に配置する装置に関する。
【００３０】
部材は型板に沿って２個の股釘の位置決めのために有利に配設される。
【００３１】
部材は更に各股釘の２個の分岐部が確実に平行になるように有利に配設される。
【００３２】
中間産物として、この発明は更に２個の股釘が非腐食性材料のループから創られることを特徴とする前記取り付けシステムのための２個の固定股釘のアセンブリに関する。
【００３３】
【発明の実施の形態】
以下この発明は添付の図面を参照してこの発明に基づき取り付けシステムをその配置装置の特異な実施例の記載の助けを経てよりよく理解されるであろう。
【００３４】
この発明の取り付けシステムは、図１で示されているように補強帯を支持構造物の対向壁に取り付けることを意図する。主要部あるいは固体主要部１を支持するこの構造は対向壁２と主要部１との間で複数の重畳面に延びる補強帯４−６により補強された特殊な中詰め３よりなる。壁２は複数の格間のアセンブリで形成される。各補強帯４−６は固体主要部１と対向壁２の近くに位置し切替え棒部７−９の間でジグザグ方式で前後に通過し、補強帯４−６は取り付けシステムの助けにより取り付けられ以下にそれは記載される。
【００３５】
図２では取り付けシステムが、補強帯４に対する巻きつけ支持部１０あるいはピン１０と、巻きつけ支持部１０を壁２に固定し壁２から突き出る２個の股釘１１ａ，１１ｂよりなることが示される。
【００３６】
壁２に対し垂直で相互に対向する股釘１１ａ，１１ｂはピン１０よりも短い距離で間隔を置かれる。各股釘１１ａ（１１ｂ）は曲がり部１５ａ（１５ｂ）により接続された大体において平行な２個の分岐部１３ａ，１４ａ（１３ｂ，１４ｂ）よりなる。股釘１１ａ（１１ｂ）の２個の分岐部１３ａ，１４ａ（１３ｂ，１４ｂ）の間の距離はピン１０の口径と大体において等しい。２個の股釘１１ａ，１１ｂは基本ループ１６から形成される。ループ１６を平面に置いた時このループ１６は一般に楕円形状をしており、また２個のＵ型接続部で相互に接続された２個の平行部よりなる。２個の股釘１１ａ，１１ｂを形成するために２個の接続部は持ち上げられ、ループ１６は従って一般に当然ながらゴンドラの形態になる。図４で見られるように、ループ１６は壁２に部分的に包埋されそこから２個の股釘１１ａ，１１ｂにより突き出る。かくしてこれら両方のものが壁２に包埋されたループ部により延びる。２個の股釘１１ａ（１１ｂ）が単一のものの部分を形成し従って相互に分離されないという事実により、２個の股釘１１ａ，１１ｂを接続しかつコンクリートに包埋されるループ部は取り付けシステムを支持構造物の壁の必要とされる部分に確実に固定する。かくしてコンクリートに包埋されたループ部は股釘１１ａ，１１ｂを確実に壁２に固定する。
【００３７】
ループ１６はそれ自身に部分的に巻き付けられた帯から形成され、その２個の端部１７，１８は帯に溶接される。帯は非腐食性プラスチック材料でできている。それは保護ポリエチレンシースで囲まれた大きな機械強度、とりわけ引張り強度を持つポリエステル繊維の芯線を含む。シースはポリエステル繊維芯線を壁２のアルカリ性からまた使用される中詰めの侵略性による破損から保護することを意図している。
【００３８】
２個の股釘１１ａ，１１ｂはそれぞれ帯の２個の端部１７，１８を含みこれは壁の外側に位置する。このように帯の芯線はコンクリートのアルカリ性による端部１７，１８での破損の危険はない。
【００３９】
ピンとも呼ばれる巻き付け支持部１０は円筒型棒である。これは２個の股釘１１ａ，１１ｂを通過することで壁２に固定される。筋かい帯４は図２で示されるように半回転でピン１０の回りに巻き付けられることを意図している。
【００４０】
取り付けシステムの配置のための装置２０は図５と図６を参考にしてこれから記載される。
【００４１】
この装置２０はループ１６を形作り２個の股釘１１ａ，１１ｂを形成する為の型抜を形成する大体においてピン１０と同じ形状の円筒形棒２１よりなる。
【００４２】
型板２１に沿って股釘１１ａ，１１ｂの位置決めを意図された２対のカラー部、すなわち環状フランジ２２ａ，２３ａ，２２ｂ，２３ｂは型板２１に配設されそこに固定して取り付けられる。各股釘１１ａ（１１ｂ）は１対のフランジの２個のフランジ２２ａ，２３ａ（２２ｂ，２３ｂ）の間で型板２１に沿って横方向に維持され、従って１対のフランジの２対のフランジ２２ａ，２３ａ，２２ｂ，２３ｂの間の間隔あけは２個の股釘１１ａ，１１ｂの間の間隔あけを規定する。
【００４３】
配置装置２０もまた、少なくともピン１０の口径に等しい距離にわたり股釘１１ａ，１１ｂの分岐部１３ａ，１４ａ，１３ｂ，１４ｂの間で確実に平行配列をする為に型板２１に固定して取り付けられた２個のスペーサ２４ａ，２４ｂと、スペーサ２４ａ，２４ｂに対向して股釘１１ａ，１１ｂを配置するよう意図された２個のクリップ２５ａよりなる。
【００４４】
スペーサ２４ａ（２４ｂ）は図５で示されるように型板２１の下部にある１対のフランジの２個のフランジ２２ａ，２３ａ（２２ｂ，２３ｂ）の間に延びる。
２個のスペーサ２３ａ，２４ｂが全く同一で一つのものであることがこれから述べられる。スペーサ２４ａは型板２１の長尺軸に平行である２個の横方向支え面２６ａ，２７ａと、型板２１を受ける陥凹部２８ａを配設する上部面とよりなる。２個の支え面２６ａ，２７ａは大体において股釘１１ａの２個の分岐部１３ａ，１４ａの間の距離に等しい。
【００４５】
各クリップ２６ａはお互いに延び、また外側に向けて曲がった２個の自由支持端部を配設された２個の弾性可変支持アーム２９ａ，３０ａよりなる。その曲線自由端部により、２個の支持アーム２９ａ，３０ａは股釘１１ａの２個の分岐部１３ａ，１４ａの間で確実に平行配列を行いまた取り付けシステムが配置された時にループ１６をその形状で保つために、スペーサ２４ａの２個の支え面２６ａ，２７ａに対向して股釘１１ａの２個の分岐部１３ａ，１４ａを配置するように意図される。
【００４６】
配置装置２０の助けにより前記の取り付けシステムを配置する操作がこれから説明される。
【００４７】
壁を形成するコンクリート格間はフラット成型で生産される。格間製造の間に、配置装置２０は成型品の上に位置決めされ、スペーサ２４ａ，２４ｂは型板２１の下方に延び、型板２１は回転しないよう防止される。まだ未形状のループがもたらされる。
【００４８】
股釘１１ａを形成するために、ループ１６は型板２１の上部に対向して、１対のフランジの２個のフランジ２２ａ，２３ａの間で、またスペーサ２４ａの支え面２６ａ，２７ａに対向してそれを置くことで形成することができる。クリップ２５ａは２個のフランジ２２ａ，２３ａの間で垂直下方への動きで型板２１にまたがるように作られて位置決めされる。曲がり自由端部により、クリップ２５ａの２個のアーム２９ａ，３０ａはスペーサ２４ａの２個の支え面に対向して股釘１１ａの２個の分岐部１３ａ，１４ａを配置し維持するので、２個の分岐部１３ａ，１４ａの間の平行配置を確実なものにする。
【００４９】
同じ手順が他の股釘１１ｂを形成するために実行される。
【００５０】
最後にコンクリートが型に流し込まれループ１６を部分的に包埋する。コンクリートが固定すると、配置装置が除かれる。
【００５１】
コンクリートが注入された時、クリップ２５ａは股釘１１ａ，１１ｂをしっかり保持し、従って股釘１１ａ，１１ｂの上方あるいは下方へのどのような移動も防がれる。
【００５２】
股釘１１ａ，１１ｂが形成される基本帯は前に記載のように暗黙の内に可撓性のものであった。剛性あるいは半剛性材料のループを使用した取り付けシステムを予見することも可能である。
【００５３】
【発明の効果】
この発明は補強帯を補強構造物に取り付けるシステムとその装置を開示する。
使用材料と方法とにより取り付けシステムは腐食されることなく適切に固定され、またその取り付けシステムを補強構造物の壁に配置する装置を利用することでその効果がより高められる。
【図面の簡単な説明】
【図１】  支持構造物の斜視図
【図２】  壁に固定されるこの発明の取り付けシステムの斜視図
【図３】  壁から外された図２の取り付けシステムの斜視図
【図４】  図２の取り付けシステムの側面図
【図５】  図２の取り付けシステムの配置装置の斜視図
【図６】  ＶＩ−ＶＩ線に沿った図５の配置装置の断面図
【符号の説明】
１  主要部，固体主要部
２  壁，対向壁
３  中詰め
４，５，６  補強帯
７，８，９  切替え棒部
１０  巻き付け支持部，ピン
１１ａ，１１ｂ  股釘
１３ａ，１３ｂ，１４ａ，１４ｂ  分岐部
１５ａ，１５ｂ  曲がり部
１６  ループ
１７，１８  端部
２０  配置装置
２１  型板
２２ａ，２２ｂ，２３ａ，２３ｂ  フランジ
２４ａ，２４ｂ  スペーサ
２５ａ  クリップ
２６ａ，２７ａ  支え面
２８ａ  陥凹部
２９ａ，３０ａ  支持アーム
【図１】
0004544754.tif 000002
【図２】
0004544754.tif 000003
【図３】
0004544754.tif 000004
【図４】
0004544754.tif 000005
【図５】
0004544754.tif 000006
【図６】
0004544754.tif 000007